(57)【要約】    【課題】病室内の天井の美観を良好にし、また、アダプタと病室内に設置された機器間の配線を省線化を図る。    【解決手段】本発明のナースコールシステムは、患者が携行し呼出信号を発信するナースコール用無線式呼出発信機１ａ、１ｂ、・・・と、ナースコール用無線式呼出発信機から発信された呼出信号を受信する受信機２ａ、２ｂ、・・・と、受信機で受信された呼出信号によりアダプタ３ａ、３ｂ、・・・を介して呼出される看護師が使用するナースコール親機４と、ナースコール親機、アダプタ間の呼出・通話を制御する制御装置５とを備える。  また、受信機は、ナースコール用無線式呼出発信機の呼び出しに応答した看護師の音声を送出するスピーカ２３と、患者の音声を聴取するマイク６ａ、６ｂ、・・・が接続されるマイク端子Ｔ２と、アダプタが接続されるアダプタ端子Ｔ１とを有する。    【選択図】図２
2005354535.tif 000002
【特許請求の範囲】
【請求項１】
患者が携行し呼出信号を発信するナースコール用無線式呼出発信機（１ａ、１ｂ、・・・）と、前記ナースコール用無線式呼出発信機から発信された呼出信号を受信する受信機（２ａ、２ｂ、・・・）と、前記受信機で受信された呼出信号によりアダプタ（３ａ、３ｂ、・・・）を介して呼出される看護師が使用するナースコール親機（４）と、前記ナースコール親機、前記アダプタ間の呼出・通話を制御する制御装置（５）とを備え、
前記受信機は、前記ナースコール用無線式呼出発信機の呼び出しに応答した前記看護師の音声を送出するスピーカ（２３）と、前記アダプタが接続されるアダプタ端子（Ｔ１）とを有することを特徴とするナースコールシステム。
【請求項２】
患者が携行し呼出信号を発信するナースコール用無線式呼出発信機（１ａ、１ｂ、・・・）と、前記ナースコール用無線式呼出発信機から発信された呼出信号を受信する受信機（２ａ、２ｂ、・・・）と、前記受信機で受信された呼出信号によりアダプタ（３ａ、３ｂ、・・・）を介して呼出される看護師が使用するナースコール親機（４）と、前記ナースコール親機、前記アダプタ間の呼出・通話を制御する制御装置（５）とを備え、
前記受信機は、前記ナースコール用無線式呼出発信機の呼び出しに応答した前記看護師の音声を送出するスピーカ（２３）と、前記患者の音声を聴取するマイク（６ａ、６ｂ、・・・）が接続されるマイク端子（Ｔ２）と、前記アダプタが接続されるアダプタ端子（Ｔ１）とを有することを特徴とするナースコールシステム。
【請求項３】
前記受信機は、前記スピーカを駆動するためのスピーカアンプ（２１ａ）と、前記マイクで集音した音声信号を増幅するマイクアンプ（２１ｂ）と、前記発信機からの前記呼出信号を受信する複数のダイバーシティー用アンテナ（２２ａ、２２ｂ、２２ｃ）と、前記アンテナで受信した呼出信号を受信処理する受信回路（２１ｄ）と、前記各アンテナで受信した呼出信号の電波の強度を検出する電界強度検出回路（２１ｅ）と、前記各アンテナで受信したときの電界強度を比較する電界強度比較回路（２１ｆ）と、前記受信回路および前記電界強度比較回路を制御するＣＰＵ（２１ｇ）と、前記ＣＰＵと前記マイクアンプおよび前記スピーカアンプの一方との各信号を多重して前記アダプタへ接続するための多重分離回路（２１ｈ）とを有することを特徴とする請求項１または請求項２記載のナースコールシステム。
【請求項４】
前記受信機は、天井に設置され、下部に前記スピーカを配置し、前記複数のアンテナを前記スピーカの外周に配置したことを特徴とする請求項１乃至請求項３何れか１項記載のナースコールシステム。
【発明の詳細な説明】
【技術分野】
【０００１】
本発明は、ナースコールシステムに係り、特に患者が携行するナースコール用無線式呼出発信機から発信された呼出信号を受信する受信機を備えたナースコールシステムに関する。
【背景技術】
【０００２】
従来から、空間ダイバーシティ方式によりフェージングの発生を回避させ、通信品質の低下を防止するシステムとして、アンテナ素子の数を大幅に増やすことなく、小型の構成で、制御の多様な選択肢による有効なダイバーシティ効果を得ることができるダイバーシティアンテナ装置（以下、「移動体通信用ダイバーシティアンテナ装置」という。）が提案されている（例えば、特許文献１）。
【０００３】
この移動体通信用ダイバーシティアンテナ装置によれば、３つのアンテナ素子を正三角形に配列することにより、比較的簡単な構成で、多くの指向性をもたせることが可能となるので、アンテナ構成を巨大化させることなく、よりきめ細かなダイバーシティ制御を行うことが可能となる。
【０００４】
しかしながら、従来の移動体通信用ダイバーシティアンテナ装置における３つのアンテナ素子は、半波長（λ／２）分の間隔をもって正三角形の頂点に配列されているため、これらのアンテナ素子で受信される電波の直接波と反射波との干渉による定在波の節点を回避できず、ひいては電波の電界強度の変動が大きくなり十分な通信品質を確保することができないという難点があった。
【０００５】
このため、本出願人は、先に、ナースコール用無線呼出発信機から発信される電波としての呼出信号をナースコール用呼出送受信機で受信させるにあたり、空間ダイバーシティ方式により、フェージングの発生を回避して電波の電界強度の変動を抑え十分な通信品質を確保できるナースコールシステムを開発し、出願している（特願２００３−１８７４０１号）。
【０００６】
このナースコールシステムは、自己の識別ＩＤが記憶され患者が携行し看護師を呼び出すための呼出ボタンを有するナースコール用無線呼出発信機と、ナースコール用無線呼出発信機から電波として発信された呼出信号を無線で受信し呼出信号を有線で送信するためのナースコール用呼出送受信機と、ナースコール用呼出送受信機からの呼出信号を受信し看護師に患者からの呼び出しをナースコール制御機を介して報知するためのナースコール親機とから構成され、ナースコール用呼出送受信機には、各辺の長さが等しい正三角形の頂点の位置に３本のアンテナを空間ダイバーシティ方式により、電波の直接波と反射波との干渉による定在波の節点を回避させて配設している。
【０００７】
ここで、ナースコール用呼出送受信機は、病室内の天井に、３本のアンテナが天井面から床面に向けて垂直に突出するように配設されている。
【０００８】
このような構成のナースコールシステムによれば、３本のアンテナのうち、受信された電波の電界強度が最も強いアンテナを使用してナースコール用無線呼出発信機からの呼出信号を受信することができ、また、ナースコール制御機は、各所に設置されたナースコール用呼出送受信機から伝送されてくる電波の電界強度のデータを比較することにより、呼出信号を発信したナースコール用呼出送受信機の位置を容易に検出することができる。
【０００９】
しかしながら、このような構成のナースコールシステムにおいては、図５に示すように、病室内の天井に、インターホン用又は放送用の天井スピーカ１００および天井マイク２００が設置され、また、この天井スピーカ１００および天井マイク２００の近傍に３本のアンテナ３００ａ、３００ｂ、３００ｃが筺体４００の下面から床面に向けて突設させた受信機５００が設置されるため、美観を損ねるという難点があった。
【００１０】
また、病室の入口付近の廊下にアダプタ（不図示）が設置され、このアダプタから病室内に設置された天井スピーカ１００、天井マイク２００および受信機５００に個別に配線しなければならないことから、多数の配線材が必要になり、配線が煩雑になるという難点があった。
【００１１】
【特許文献１】特開平８−１６７８０７号公報（段落番号０００１、０００５、００２５）
【発明の開示】
【発明が解決しようとする課題】
【００１２】
本発明はこのような難点を解決するためになされるもので、天井スピーカ（および必要により天井マイク）と受信機とを一体化することにより、病室内の天井の美観を良好にし、また、アダプタと病室内に設置された機器間の配線を省線化することができるナースコールシステムを提供することを目的としている。
【課題を解決するための手段】
【００１３】
本発明の第１の態様であるナースコールシステムは、患者が携行し呼出信号を発信するナースコール用無線式呼出発信機と、ナースコール用無線式呼出発信機から発信された呼出信号を受信する受信機と、受信機で受信された呼出信号によりアダプタを介して呼出される看護師が使用するナースコール親機と、ナースコール親機、アダプタ間の呼出・通話を制御する制御装置とを備え、受信機は、ナースコール用無線式呼出発信機の呼び出しに応答した看護師の音声を送出するスピーカと、アダプタが接続されるアダプタ端子とを有するものである。
【００１４】
本発明の第２の態様であるナースコールシステムは、患者が携行し呼出信号を発信するナースコール用無線式呼出発信機と、ナースコール用無線式呼出発信機から発信された呼出信号を受信する受信機と、受信機で受信された呼出信号によりアダプタを介して呼出される看護師が使用するナースコール親機と、ナースコール親機、アダプタ間の呼出・通話を制御する制御装置とを備え、受信機は、ナースコール用無線式呼出発信機の呼び出しに応答した看護師の音声を送出するスピーカと、患者の音声を聴取するマイクが接続されるマイク端子と、アダプタが接続されるアダプタ端子とを有するものである。
【００１５】
本発明の第３の態様は、第１の態様または第２の態様であるナースコールシステムにおいて、受信機は、スピーカを駆動するためのスピーカアンプと、マイクで集音した音声信号を増幅するマイクアンプと、発信機からの呼出信号を受信する複数のダイバーシティー用アンテナと、アンテナで受信した呼出信号を受信処理する受信回路と、各アンテナで受信した呼出信号の電波の強度を検出する電界強度検出回路と、各アンテナで受信したときの電界強度を比較する電界強度比較回路と、受信回路および電界強度比較回路を制御するＣＰＵと、ＣＰＵとマイクアンプおよびスピーカアンプの一方との各信号を多重してアダプタへ接続するための多重回路とを有するものである。
【００１６】
本発明の第４の態様は、第１の態様乃至第３の態様の何れかの態様であるナースコールシステムにおいて、受信機は、天井に設置され、下部にスピーカを配置し、複数のアンテナをスピーカの外周に配置したものである。
【発明の効果】
【００１７】
本発明のナースコールシステムによれば、次のような効果がある。
【００１８】
第1に、スピーカ（および必要によりマイク）と受信機が一体化されていることから、天井へ設置する機器の部品点数を減少させることができる。
【００１９】
第２に、一体化された受信機等に配線すればよいことから、アダプタと一体化された機器間の配線距離を短くすることができ、省線化を図ることができる。
【００２０】
第３に、従来のナースコールシステムのように、病室等の天井にスピーカ、マイクおよび受信機を併設する必要がないことから、病室等の天井の美観を向上させることができる。
【００２１】
第４に、アダプタと受信機間の信号を多重伝送できることから、廊下と病室間の配線数を低減することができる。
【００２２】
第５に、受信機にマイク端子が設けられていることから、必要により受信機に患者の音声を聴取するマイクを接続することができる。
【発明を実施するための最良の形態】
【００２３】
以下、本発明のナースコールシステムを適用した好ましい形態の実施例について、図面を参照して説明する。ここで、図１は、本発明の一実施例におけるナースコールシステムのシステム構成図、図２は、同ナースコールシステムにおけるアダプタおよび受信機のブロック図を示している。
【００２４】
図１において、本発明のナースコールシステムは、患者が携行する呼出ボタン１０を有するナースコール用無線式呼出発信機１ａ、１ｂ、・・・と、各病室Ａ、Ｂ、・・・等の天井に取付けられ、ナースコール用無線式呼出発信機１ａ、１ｂ、・・・から発信された呼出信号を受信する受信機２ａ、２ｂ、・・・と、各病室Ａ、Ｂ、・・・等の入口付近に設置されるアダプタ３ａ、３ｂ、・・・と、ナースステーション内に設置され、看護師等が使用するナースコール親機４と、ナースコール親機４、アダプタ３ａ、３ｂ、・・・間の呼出・通話を制御する制御装置５と、受信機２ａ、２ｂ、・・・に後述するマイク端子を介して接続されたマイク６ａ、６ｂ、・・・とを備えている。ここで、各アダプタ３ａ、３ｂ、・・・は第1の伝送路Ｌ１を介して制御装置５に、第２の伝送路Ｌ２を介して対応する受信機２ａ、２ｂ、・・・にそれぞれ接続され、制御装置５には第３の伝送路Ｌ３を介してナースコール親機４が、各受信機２ａ、２ｂ、・・・には第４の伝送路Ｌ４を介して対応するマイク６ａ、６ｂ、・・・がそれぞれ接続されている。
【００２５】
各アダプタ３ａ、３ｂ、・・・はそれぞれ同様の構成とされ、図２に示すように、分岐回路３１を備えており、この分岐回路３１にはアダプタ幹線としての第１の伝送路Ｌ１および受信機幹線としての第２の伝送路Ｌ２が接続されている。
【００２６】
各受信機２ａ、２ｂ、・・・はそれぞれ同様の構成とされ、図２に示すように、受信部２１と、発信機からの呼出信号を受信する例えば３本のダイバーシティー用アンテナ２２ａ、２２ｂ、２２ｃと、看護師の音声を送出するスピーカ２３とを備えている。また、受信部２１は、スピーカ２３を駆動するためのスピーカアンプ２１ａと、マイクで集音した音声信号を増幅するマイクアンプ２１ｂと、アンテナ切替回路２１ｃと、ダイバーシティー用アンテナで受信した呼出信号を受信処理する受信回路２１ｄと、各ダイバーシティー用アンテナで受信した呼出信号の電波の強度を検出する電界強度検出回路２１ｅと、各ダイバーシティー用アンテナで受信したときの電界強度を比較する電界強度比較回路２１ｆと、アンテナ切替回路２１ｃ、受信回路２１ｄおよび電界強度比較回路２１ｆを制御するＣＰＵ２１ｇと、各信号を多重してアダプタ３ａ、３ｂ、・・・へ接続するための多重分離回路２１ｈと、アダプタ３ａ、３ｂ、・・・へ接続するためのアダプタ端子Ｔ１と、患者の音声を聴取するマイク６ａ、６ｂ、・・・を接続するためのマイク端子Ｔ２とを備えている。ここで、多重分離回路２１ｈは、スピーカアンプ２１ａ、マイクアンプ２１ｂ、ＣＰＵ２１ｇおよびアダプタ端子Ｔ１に接続され、ＣＰＵ２１ｇにはアンテナ切替回路２１ｃ、受信回路２１ｄおよび電界強度比較回路２１ｆが、スピーカアンプ２１ａにはスピーカ２３が、マイクアンプ２１ｂにはマイク端子Ｔ２を介して対応するマイク６ａ、６ｂ、・・・が、アダプタ端子Ｔ１には第２の伝送路Ｌ２が接続されている。また、受信回路２１ｄは、アンテナ切替回路２１ｃおよび電界強度検出回路２１ｅに接続され、アンテナ切替回路２１ｃには３本のダイバーシティー用アンテナ２２ａ、２２ｂ、２２ｃが、電界強度検出回路２１ｅには電界強度比較回路２１ｆがそれぞれ接続されている。
【００２７】
図３は、本発明のナースコールシステムにおける受信機の斜視図、図４は同受信機の一部断面図を示している。なお、図３および図４において、図１および図２に示すものと同一のものには同一の符号が付されている。
【００２８】
図３および図４において、各受信機２ａ、２ｂ、・・・は、病室等の天井板７の透孔７ａに配設された環状のフレーム枠８と、フレーム枠８に円周方向に沿って１２０度の間隔で、すなわち各辺の長さが等しい正三角形の頂点の位置に垂直方向に貫通して配設された３本のダイバーシティー用アンテナ２２ａ、２２ｂ、２２ｃと、フレーム枠８の上面の外周縁部にその拡径部２３ａ側を当接したラッパ状のスピーカフレーム２３ｂとを備えており、スピーカフレーム２３ｂの基部にはスピーカマグネット２３ｃが、スピーカフレーム２３ｂの斜辺部には受信部２１が配設されている。また、３本のダイバーシティー用アンテナ２２ａ、２２ｂ、２２ｃの上端部は、それぞれアンテナ固定部９で固定され、さらにアンテナコネクタ１０および同軸ケーブル１１を介して受信部２１に電気的に接続されている。なお、図中、符号、Ｌ２はアダプタ３ａ、３ｂ、・・・に接続されるリード線、Ｌ５はスピーカ２３に接続されるリード線、Ｌ７はマイク６ａ、６ｂ、・・・に接続されるリード線を示している。
【００２９】
次に、このように構成された本発明のナースコールシステムの動作について説明する。
【００３０】
図１および図２において、例えば、病室Ａ内のある患者（以下「第１の患者」という。）が自己の携行するナースコール用無線呼出発信機（以下「第１のナースコール用無線呼出発信機」という。）１ａの呼出ボタン１０を操作すると、第１のナースコール用無線呼出発信機１ａに予め記憶されている自己の識別ＩＤを含有する呼出無線信号が電波として発信される。この呼出無線信号は、各ナースコール用呼出送受信機２ａ、２ｂ、・・・の３本のダイバーシティー用アンテナ２２ａ、２２ｂ、２２ｃで受信される。ここでは、第１の患者が病室Ａ内に居り、病室Ａ内の天井に取り付けられたナースコール用呼出送受信機（以下「第１のナースコール用呼出送受信機」という。）２ａの３本のダイバーシティー用アンテナ（以下「第１の３本のダイバーシティー用アンテナ」という。）２２ａ、２２ｂ、２２ｃと病室Ｂ内の天井に取り付けられたナースコール用呼出送受信機（以下「第２のナースコール用呼出送受信機」という。）２ｂの３本のダイバーシティー用アンテナ（以下「第２の３本のダイバーシティー用アンテナ」という。）２２ａ、２２ｂ、２２ｃにてそれぞれ電波の位相差に伴う異なる受信タイミングで受信されるものとする。なお、第１、第２の３本のダイバーシティー用アンテナ２２ａ、２２ｂ、２２ｃで受信される呼出無線信号は、それぞれ電界強度のレベルが異なる呼出無線信号とする。
【００３１】
ここで、第１、第２の３本の各ダイバーシティー用アンテナ２２ａ、２２ｂ、２２ｃは、それぞれ病室の天井面に各辺の長さが等しい正三角形の頂点の位置に床面に向けて垂直に取り付けられ、アンテナ間の距離は実質的にｎλ／４（ここで、λは電波の波長、ｎは奇数）の長さとされていることから、空間ダイバーシティ方式により、呼出無線信号としての電波の直接波と反射波との干渉による定在波の節点の発生位置が反射面である天井、床、壁等からのｎλ／４の位置となる一方、３本の各ダイバーシティー用アンテナ２２ａ、２２ｂ、２２ｃが同時に節点に位置されることがなく、ひいては、フェージングの発生を回避して電波の電界強度の変動が抑えられることにより、十分な通信品質が確保される。
【００３２】
次に、第１、第２のナースコール用呼出送受信機２ａ、２ｂの各受信回路２１ｄのうち、先ず、第１のナースコール用呼出送受信機２ａの受信回路（以下「第１の受信回路」という。）２１ｄは、第１の３本のダイバーシティー用アンテナ２２ａ、２２ｂ、２２ｃで受信されアンテナ切換回路（以下「第１のアンテナ切換回路」という。）２１ｃを介して伝送されてきた電波としての呼出無線信号を有線で伝送させるための呼出信号にそれぞれ信号・データ処理し、これらの呼出信号を電界強度検出回路（以下「第１の電界強度検出回路」という。）２１ｅへ出力する。
【００３３】
第１の電界強度検出回路２１ｅは、第１の受信回路２１ｄを介して信号・データ処理された呼出信号の電界強度の電界強度値をそれぞれ検出し、その旨の電界強度データを電界強度比較回路（以下「第１の電界強度比較回路」という。）２１ｆおよび当該電界強度比較回路を介してＣＰＵ（以下「第１のＣＰＵ」という。）２１ｇへ出力する。
【００３４】
第１のＣＰＵ２１ｇは、第１の電界強度比較回路２１ｆからの電界強度比較データをもとに、第１の３本のダイバーシティー用アンテナ２２ａ、２２ｂ、２２ｃにて受信された呼出無線信号としての電波の電界強度のうち最も強い電界強度値を示したダイバーシティー用アンテナ、ここでは、最も強い電界強度値を示したダイバーシティー用アンテナ（以下「第１の最強電界強度アンテナ」という。）２２ａを検出し、この第１の最強電界強度アンテナ２２ａが使用されるように第１のアンテナ切換回路２１ｃを制御することにより、第１の最強電界強度アンテナ２２ａで受信された呼出無線信号のみが第１のアンテナ切換回路２１ｃから第１の受信回路２１ｄを介して有線信号に信号・データ処理された呼出信号として第１のＣＰＵ２１ｇへ伝送される。
【００３５】
また、第１のＣＰＵ２１ｇは、第１の電界強度比較回路２１ｆを介した第１の電界強度検出回路２１ｅからの電界強度データのうち、使用状態の第１の最強電界強度アンテナ２２ａで受信された電波の電界強度値を示す電界強度データおよび第１の受信回路２１ｄからの呼出信号のうち少なくとも一方、ここでは、双方を含む呼出制御信号を多重分離回路（以下「第１の多重分離回路」という。）２１ｈへ出力する。この呼出制御信号は、第１の多重分離回路２１ｈ、アダプタ端子（以下「第１のアダプタ端子」という。）Ｔ１および第２の伝送路Ｌ２を介して第１のナースコール用呼出送受信機２ａに対応するアダプタ（以下「第１のアダプタ」という。）３ａへ伝送される。
【００３６】
第１のアダプタ３ａは、第１のナースコール用呼出送受信機２ａからの呼出制御信号に含まれている電界強度データおよび呼出信号をもとに、第１のナースコール用無線呼出発信機１ａを携行している第１の患者からの通常のナースコール呼び出しがあることを検出し、その旨の呼出データおよび上述の電界強度データを含む呼出信号（以下、第１の親機呼出信号という。）を第１の伝送路Ｌ１へ出力する。
【００３７】
次に、第２のナースコール用呼出送受信機２ｂの受信回路（以下「第２の受信回路」という。）２１ｄは、前述の第１の受信回路と同様に、第２の３本のダイバーシティー用アンテナ２２ａ、２２ｂ、２２ｃで受信されアンテナ切換回路（以下「第２のアンテナ切換回路」という。）２１ｃを介して伝送されてきた電波としての呼出無線信号を有線で伝送させるための呼出信号にそれぞれ信号・データ処理し、これらの呼出信号を電界強度検出回路（以下「第２の電界強度検出回路」という。）２１ｅへ出力する。
【００３８】
第２の電界強度検出回路２１ｅは、第２の受信回路２１ｄを介して信号・データ処理された呼出信号の電界強度の電界強度値をそれぞれ検出し、その旨の電界強度データを電界強度比較回路（以下「第２の電界強度比較回路」という。）２１ｆおよび当該電界強度比較回路を介してＣＰＵ（以下「第２のＣＰＵ」という。）２１ｇへ出力する。
【００３９】
第２のＣＰＵ２１ｇは、前述の第１のＣＰＵ２１ｇと同様に、第２の電界強度比較回路２１ｆからの電界強度比較データをもとに、第２の３本のダイバーシティー用アンテナ２２ａ、２２ｂ、２２ｃにて受信された呼出無線信号としての電波の電界強度のうち最も強い電界強度値を示したダイバーシティー用アンテナ、ここでは、最も強い電界強度値を示したダイバーシティー用アンテナ（以下「第２の最強電界強度アンテナ」という。）２２ａを検出し、この第２の最強電界強度アンテナ２２ａが使用されるように第２のアンテナ切換回路２１ｃを制御することにより、第２の最強電界強度アンテナ２２ａにて受信された呼出無線信号のみが第２のアンテナ切換回路２１ｃから第２の受信回路２１ｄを介して有線信号に信号・データ処理された呼出信号として第２のＣＰＵ２１ｇへ伝送される。
【００４０】
また、第２のＣＰＵ２１ｇは、前述の第１のＣＰＵ２１ｇと同様に、第２の電界強度比較回路２１ｆを介した第２の電界強度検出回路２１ｅからの電界強度データのうち、使用状態の第２の最強電界強度アンテナ２２ａで受信された電波の電界強度値を示す電界強度データおよび第２の受信回路２１ｄからの呼出信号のうち少なくとも一方、ここでは、双方を含む呼出制御信号を多重分離回路（以下「第２の多重分離回路」という。）２１ｈへ出力する。この呼出制御信号は、第２の多重分離回路２１ｈ、アダプタ端子（以下「第２のアダプタ端子」という。）Ｔ１および第２の伝送路Ｌ２を介して第２のナースコール用呼出送受信機２ｂに対応するアダプタ（以下「第２のアダプタ」という。）３ｂへ伝送される。
【００４１】
第２のアダプタ３ｂは、前述の第１のアダプタ３ａと同様に、第２のナースコール用呼出送受信機２ｂからの呼出制御信号に含まれている電界強度データおよび呼出信号をもとに、第１のナースコール用無線呼出発信機１ａを携行している第１の患者からの通常のナースコール呼び出しがあることを検出し、その旨の呼出データおよび上述の電界強度データを含む呼出信号（以下、第２の親機呼出信号という。）を第１の伝送路Ｌ１へ出力する。
【００４２】
次に、制御装置５は、第１のアダプタ３ａからの第１の親機呼出信号に含まれている電界強度データと第２のアダプタ３ｂからの第２親機呼出信号に含まれている電界強度データとを比較し、比較の差に伴い電波として呼出無線信号を発信した第１のナースコール用無線呼出発信機１ａの位置、すなわち、呼出操作を行った第１の患者の位置を特定する。ここでは、電界強度データと比較して電界強度データが大きくなり、この電界強度データを出力した第１のナースコール用呼出送信機２ａの設置位置をもとに、呼出操作を行った第１の患者が病室Ａ内に居ることを特定する。また、制御装置５は、最も強い電界強度値を示したダイバーシティー用アンテナ２２ａを有する第１のナースコール用呼出送受信機２ａに第２の伝送路Ｌ２を介して接続されている第１のアダプタ３ａを制御し、図示しない呼出表示灯を所定のパターンで点灯・点滅させて呼出報知を行うとともに、特定した位置データおよび上述の呼出データを含む親機呼出転送信号を第３の伝送路Ｌ３を介してナースコール親機４を構成するナースコール通話部（不図示）へ出力する。
【００４３】
かかるナースコール通話部は、制御装置５からの親機呼出転送信号に含まれている位置データおよび呼出データをもとに、第１のナースコール用無線呼出発信機１ａを携行している第１の患者からの通常のナースコール呼び出しがあることを呼出元である第１の患者が病室Ａ内に居る位置データとともに検出し、その旨の呼出音やメッセージを出力させて呼出報知を行う。
【００４４】
ここで、ナースステーションにおいて、第１の患者からの呼び出しを確認した看護師等がハンドセット（不図示）を取り上げて呼出応答すると、第３の伝送路Ｌ３、制御装置５、第１の伝送路Ｌ１、第１のアダプタ３ａおよび第２の伝送路Ｌ２を介してナースコール親機４と第１の受信機２ａ間に通話路が形成される。
【００４５】
これにより、第１の受信機２ａと一体化されたスピーカ２３に対して第１の患者からの呼び出しに応答した看護師の音声を送出させることができ、また、第１の受信機２ａにマイク６ａが接続されている場合には、当該マイク６ａを介して第１の患者の音声を聴取することができ、この音声をナースコール親機４へ送出することができる。
【産業上の利用可能性】
【００４６】
前述の実施例においては、２台のナースコール用無線式発信機、受信機、アダプタおよびマイクを設置した場合について述べているが、これらのナースコール用無線式発信機、受信機、アダプタおよびマイクの台数はシステムの規模に応じて増減することができる。
【図面の簡単な説明】
【００４７】
【図１】本発明のナースコールシステムのシステム構成図。
【図２】本発明のナースコールシステムにおけるアダプタおよび受信機のブロック図。
【図３】本発明のナースコールシステムにおける受信機の斜視図。
【図４】本発明のナースコールシステムにおける受信機の一部断面図。
【図５】従来のナースコールシステムにおける病室の天井の外観図。
【符号の説明】
【００４８】
１ａ、１ｂ・・・ナースコール用無線式呼出発信機
２ａ、２ｂ・・・受信機
２１ａ・・・スピーカアンプ
２１ｂ・・・マイクアンプ
２１ｄ・・・受信回路
２１ｅ・・・電界強度検出回路
２１ｆ・・・電界強度比較回路
２１ｇ・・・ＣＰＵ
２２ａ、２２ｂ、２２ｃ・・・ダイバーシティー用アンテナ
２３・・・スピーカ
２１ｈ・・・多重分離回路
３ａ、３ｂ・・・アダプタ
４・・・ナースコール親機
５・・・制御装置
６ａ、６ｂ・・・マイク
Ｔ１・・・・アダプタ端子
Ｔ２・・・マイク端子
【図１】
2005354535.tif 000003
【図２】
2005354535.tif 000004
【図３】
2005354535.tif 000005
【図４】
2005354535.tif 000006
【図５】
2005354535.tif 000007